(57)【要約】【課題】健康被害の発生の危険性をなくす、ないしは、少なくすることができ、それでいて、空調費を低くすることができる暖房システム等を提供する。【解決手段】コントローラー１０が、寝室となる主寝室５及び子供室６において、そこに据えられているエアコン８，８に対し、就寝中は適温よりも抑えられた例えば１７°Ｃの抑えめ温度を維持する空調運転を行わせ、該抑えめ温度維持運転に引き続いて起床時に例えば２０°Ｃの適温となっている空調運転を行わせる制御を行うようになされている。【選択図】      図１
2012026653.tif 000002
【特許請求の範囲】
【請求項１】
寝室と、該寝室を暖房する暖房機と、該暖房機の運転を制御する制御部とが備えられた暖房システムにおいて、
前記制御部は、前記暖房機に、就寝中は適温よりも抑えられた抑えめ温度を維持する空調運転を行わせる制御を行うと共に、該抑えめ温度維持運転に引き続いて起床時に適温となっている空調運転を行わせる制御を行うようになされていることを特徴とする健康暖房システム。
【請求項２】
寝室において、就寝中、適温よりも抑えられた抑えめ温度を維持する暖房運転を行うと共に、該抑えめ温度維持運転に引き続いて起床時に適温となっている暖房運転を行うことを特徴とする健康暖房方法。
【発明の詳細な説明】
【技術分野】
【０００１】
本発明は、健康暖房システム及び健康暖房方法に関する。
【背景技術】
【０００２】
・  入床から就寝中、そして起床時刻にわたって暖房を停止しておくこと（第１の方法）や、
・  タイマーで、起床時刻の前後の時間帯のみ、例えば２０°Ｃ等の適温での暖房運転をして入床から就寝中は暖房を停止しておくこと（第２の方法）、
・  また、入床から就寝中、そして起床時刻にわたって上記のような適温での暖房運転を継続すること（第３の方法）
などは、従来より行われている。
【先行技術文献】
【特許文献】
【０００３】
【特許文献１】特開２００９−１０９０３２号公報
【発明の概要】
【発明が解決しようとする課題】
【０００４】
ところで、発明者らは、寝室での就寝の過程における血圧と室温との関係を明らかにする調査を行ったところ、図３に示すような結果を得、この結果より、就寝中は、適温であるか抑えめ温度であるかによって血圧値に問題となるような差は現れないが、起床時は、適温かそれよりも低い温度かによって、血圧値に、脳卒中等の原因となりうる有意な差ｓが現れやすい傾向があるという事実を突き止めた。
【０００５】
そのような事実解明に基づいて、上記の第１〜第３の各方法を検討してみると、
・  第１の方法では、暖房費を節約する上では最高の方法であるが、起床時に健康上問題となるような血圧の上昇を起こす危険性が高いという問題があり、
・  第２の方法では、暖房停止状態での室温が低すぎて体温の放散が強くなりすぎてしまうことがあると共に、暖房停止状態での室温と起床時の適温との差が大きくなりすぎて身体内部に異変を生じさせてしまうおそれもないではなく、更に、暖房費の面から言うと、暖房停止による低い温度状態から、起床時の適温状態に暖房を立ち上げるのには多くのエネルギーを必要とし、全体としてみた場合に、空調費が高くついてしまうという問題があり、
・  第３の方法では、健康面において就寝中の体温の放散が促進されにくく、空調費も高くついてしまうという問題がある。
【０００６】
本発明は、上記のような問題点に鑑み、健康被害の発生の危険性をなくす、ないしは、少なくすることができ、それでいて、空調費を低くすることができる暖房システム及び暖房方法を提供することを課題とする。
【課題を解決するための手段】
【０００７】
上記の課題は、寝室と、該寝室を暖房する暖房機と、該暖房機の運転を制御する制御部とが備えられた暖房システムにおいて、
前記制御部は、前記暖房機に、就寝中は適温よりも抑えられた抑えめ温度を維持する空調運転を行わせる制御を行うと共に、該抑えめ温度維持運転に引き続いて起床時に適温となっている空調運転を行わせる制御を行うようになされていることを特徴とする健康暖房システムによって解決される（第１発明）。
【０００８】
また、寝室において、就寝中、適温よりも抑えられた抑えめ温度を維持する暖房運転を行うと共に、該抑えめ温度維持運転に引き続いて起床時に適温となっている暖房運転を行うことを特徴とする健康暖房方法によって解決される（第２発明）。
【０００９】
上記の第１，第２発明によれば、就寝中、適温よりも抑えられた抑えめ温度を維持する暖房運転が行われ、該抑えめ温度維持運転に引き続いて起床時に適温となっている暖房運転が行われるので、健康面からみて、
・  就寝中の体温放散を適度に促進することができると共に、
・  起床時に健康上問題となるような血圧の上昇を起こす危険性もなくすないしは少なくすることができ、
・  就寝中の室温と起床時の適温との差が大きくなりすぎることによる身体内部異変の発生の危険性もなくすないしは少なくすることができて
健康被害の発生の危険性をなくす、ないしは、少なくすることができる。
【００１０】
しかも、空調費からみても、起床時における適温維持運転に先立ち、就寝中は、抑えめ温度を維持する空調運転が行われているので、
・  暖房停止、等による抑えめ温度よりも低い温度状態から適温状態に立ち上げる場合に比べて、適温状態にするための時間を短くすることができるのみならず、適温状態にするためのエネルギーコストを低く抑えることができると共に、普通なら例えば１２畳用のエアコンが必要であるところ例えば８畳用のエアコンですませられるというように空調のイニシャルコストも低くできて、イニシャルコスト及びランニングコストの双方を含む空調費を低くすることができ、
・  また、就寝中から起床時刻にわたってずっと適温維持運転をする場合に比べて、就寝中の抑えめ温度維持運転の採用により、空調費を低くすることができる。
【発明の効果】
【００１１】
本発明の健康暖房システム及び健康暖房方法は、以上のとおりのものであるから、健康被害の発生の危険性をなくす、ないしは、少なくすることができ、それでいて、空調費を低くすることができる。
【図面の簡単な説明】
【００１２】
【図１】実施形態の空調システムにおける運転制御のスケジュールを示す表である。
【図２】同システムの全体構成を示すもので、建物内部の正面図である。
【図３】就寝中及び起床時における温度と血圧との関係を傾向的に示すグラフである。
【発明を実施するための形態】
【００１３】
次に、本発明の実施形態を図面に基づいて説明する。
【００１４】
図１及び図２に示す実施形態の暖房システムにおいて、１は高気密・高断熱化された建物であり、本実施形態では、建物１は、住宅用戸建て建物等の住宅建物からなっていて、該建物１には、高気密化されているのに対応した図示しない２４時間常時換気システムも備えられている。なお、１１は断熱層である。
【００１５】
そして、図２に示す該建物１において、３はＬＤＫ（リビングとダイニングとキッチン）、４は和室、５は寝室としての主寝室、６は寝室にもなる子供室、７は廊下、階段室等の非居室であり、ＬＤＫ３、和室４、主寝室５、子供室６のそれぞれには、暖房機としてのヒートポンプ式のエアコン８と、該エアコン８に制御信号を発する赤外線式等による発信機９とが設けられ、各発信機９…は、ＬＤＫ３に設置された制御部としてのコントローラー１０に接続され、コントローラー１０からの制御信号に基づいて対応するエアコン８に制御信号を発信し、その信号に基づいてエアコン８の運転が制御されるようになされている。なお、非居室７にも、エアコンを設置してその領域の暖房が行われるように構成してもよい。
【００１６】
制御の具体的内容を例示的に示すと、コントローラー１０は、図１に示すように、
・  ＬＤＫ３に設置されているエアコン８に対し、
・  ６：００〜１１：００の時間帯、及び、１５：００〜２４：００の時間帯の、時間的に間隔をおいた２つの時間帯（ヒトが在室しているであろう時間帯）において、適温である例えば２０°Ｃを維持する暖房運転を行わせる制御を行い、
・  １１：００〜１５：００の時間帯（ヒトが在室していないであろう時間帯）において、前記適温よりも抑えられた抑えめ温度である例えば１７°Ｃを維持する暖房運転を行い、
・  ０：００〜６：００の残り全部の時間帯（ヒトが在室していないであろう時間帯）において、運転を停止する制御を行うようになされており、
・  主寝室５に設置されているエアコン８に対し、
・  ６：００〜８：００の時間帯、及び、２１：００〜２４：００の時間帯（就寝準備及び入床のための時間帯）の、時間的に間隔をおいた２つの時間帯において、適温である２０°Ｃを維持する暖房運転を行わせる制御を行い、
・  ０：００〜６：００の時間帯において、前記適温よりも抑えられた抑えめ温度である１７°Ｃを維持する暖房運転を行い、
・  ８：００〜２１：００（ヒトが在室していないであろう時間帯）の残り全部の時間帯において、運転を停止する制御を行うようになされており、
・  子供室６に設置されているエアコン８に対し、
・  ６：００〜８：００の時間帯、及び、１６：００〜２４：００の時間帯（ヒトが在室しているであろう時間帯、並びに、就寝準備及び入床のための時間帯）の、時間的に間隔をおいた２つの時間帯において、適温である２０°Ｃを維持する暖房運転を行わせる制御を行い、
・  ０：００〜６：００の時間帯の時間帯において、前記適温よりも抑えられた抑えめ温度である１７°Ｃを維持する暖房運転を行い、
・  ８：００〜１６：００（ヒトが在室していないであろう時間帯）の残り全部の時間帯において、運転を停止する制御を行うようになされている。
【００１７】
そして、主寝室５及び子供室６の各エアコン８，８に対する制御は、家族の入床時刻が２３：００であり、起床時刻が７：００であるという情報に基づいて設定されたものであり、０：００〜６：００の就寝時間帯には抑えめ温度を維持する暖房運転を行わせ、起床時刻、即ち、床から出る時刻である７：００〜８：００には室温が適温状態になっているようにするという趣旨である。
【００１８】
なお、図１に示す制御スケジュールにおいて、適温時間帯と抑えめ温度時間帯との境界は、制御が切り換わる時刻を表しており、その時刻における温度は、その時刻前の時間帯の温度であり、その時刻に制御が切り替わって、その時刻から、暖房立ち上がり時間ないしは下がり時間を経過した後に、その時刻後の時間帯の温度になることを表しているものである。
【００１９】
上記の暖房システムでは、主寝室５、子供室６での就寝中、適温よりも抑えられた抑えめ温度を維持する暖房運転が行われ、該抑えめ温度維持運転に引き続いて起床時に適温となっている暖房運転が行われるので、健康面からみて、就寝中の体温放散を適度に促進することができると共に、起床時に健康上問題となるような血圧の上昇を起こす危険性もなくすないしは少なくすることができ、更に、就寝中の室温と起床時の適温との差が大きくなりすぎることによる身体内部異変の発生の危険性もなくすないしは少なくすることができる。
【００２０】
しかも、空調費からみても、起床時における適温維持運転に先立ち、就寝中は、抑えめ温度を維持する空調運転が行われているので、暖房停止等による抑えめ温度よりも低い温度状態から適温状態に立ち上げる場合に比べて、適温状態にするための時間を短くすることができるのみならず、適温状態にするためのエネルギーコストを低く抑えることができると共に、普通なら例えば１２畳用のエアコンが必要であるところ例えば８畳用のエアコンですませられるというように空調のイニシャルコストも低くできて、イニシャルコスト及びランニングコストの双方を含む空調費を低くすることができ、また、就寝中から起床時刻にわたってずっと適温維持運転をする場合に比べても、就寝中の抑えめ温度維持運転の採用により、空調費を低くすることができる。
【００２１】
以上に、本発明の実施形態を示したが、本発明はこれに限られるものではなく、発明思想を逸脱しない範囲で各種の変更が可能である。例えば、暖房機は、エアコンに限らないし、戸建て住宅用建物に限らず、老人ホーム等の施設における暖房方法ないしは暖房システムとして用いられてもよい。
【符号の説明】
【００２２】
５…主寝室（寝室）
６…子供室（寝室）
８…エアコン（暖房機）
１０…コントローラー（制御部）
【図１】
2012026653.tif 000003
【図２】
2012026653.tif 000004
【図３】
2012026653.tif 000005